【事件の表示】
　特許第３１６０１４２号「液晶表示装置」の請求項１ないし７に係る特許に対する特許異議の申立てについて、次のとおり決定する。
【結　論】
　訂正を認める。
　特許第３１６０１４２号の請求項１ないし６に係る特許を維持する。
【理　由】
【1】手続の経緯
　特許第3160142号の請求項1〜7に係る発明は、平成5年12月27日に出願され、平成13年2月16日にその設定登録がなされ、その後、古川京子より特許異議申立がなされ、取消理由通知に対して平成14年3月12日に訂正請求がなされたものである。
　
【2】訂正の適否についての判断
《2-1》訂正の要旨
　特許権者が求めている訂正の内容は、以下のとおりである。
　[訂正事項a]
　特許請求の範囲請求項1の記載を、明りょうでない記載の釈明を目的として、
　「【請求項1】
　絶縁表面を有する第1の基板と、
　絶縁表面を有する第2の基板と、
　前記第1の基板と前記第2の基板との間に設けられた液晶と、
を有する液晶表示装置において、
　前記第1の基板上には複数の画素電極と、複数の信号線と、複数の走査線と、複数のTFTを有する複数のデジタル記憶回路とが設けられており、
　前記第2の基板上には対向電極が設けられており、
　前記走査線からの走査線信号によって前記信号線から前記デジタル記憶回路にデータが入力され、
　前記デジタル記憶回路は、前記走査線信号の次の走査線信号によって前記信号線から前記デジタル記憶回路に前記データとは別のデータが入力されるまで前記データを保持し、
　前記デジタル記憶回路は、前記信号線から入力され保持された前記データによって、前記デジタル記憶回路の高電位側電源の電源電位、または低電位側電源の電源電位を前記画素電極に供給し、
　前記対向電極には、特定周波数の交流駆動電圧が入力されていることを特徴とする液晶表示装置。」と訂正する。
　
[訂正事項b]
特許請求の範囲請求項2の記載を、明りょうでない記載の釈明を目的として、
　「【請求項2】
　絶縁表面を有する第1の基板と、
　絶縁表面を有する第2の基板と、
　前記第1の基板と前記第2の基板との間に設けられた液晶と、
を有する液晶表示装置において、
　前記第1の基板上には複数の画素電極と、複数の信号線と、複数の走査線と、
　複数のTFTを有する複数のデジタル記憶回路とが設けられており、
　前記第2の基板上には対向電極が設けられており、
　前記走査線からの走査線信号によって前記信号線から前記デジタル記憶回路にデータが入力され、
　前記デジタル記憶回路は、前記走査線信号の次の走査線信号によって前記信号線から前記デジタル記憶回路に前記データとは別のデータが入力されるまで前記データを保持し、
　前記デジタル記憶回路は、前記信号線から入力され保持された前記データによって、前記デジタル記憶回路の高電位側電源の電源電位、または低電位側電源の電源電位を前記画素電極に供給し、
　前記対向電極には、前記デジタル記憶回路の高電位側電源の電源電位と同じ電位、および低電位側電源電位と同じ電位が、特定周波数で順に印加されていることを特徴とする液晶表示装置。」と訂正する。
　
[訂正事項c]
特許請求の範囲請求項3の記載を、誤記の訂正及び明りょうでない記載の釈明を目的として、
　「【請求項3】
　絶縁表面を有する第1の基板と、
　絶縁表面を有する第2の基板と、
　前記第1の基板と前記第2の基板との間に設けられた液晶と、
を有する液晶表示装置において、
　前記第1の基板上には複数の画素電極と、複数の信号線と、複数の走査線と、複数のインバータを有する複数のデジタル記憶回路と、ソース領域、ドレイン領域およびゲート電極を有する複数のスイッチングTFTとが設けられており、
　前記第2の基板上には対向電極が設けられており、
　前記スイッチングTFTのソース領域またはドレイン領域は、前記信号線または前記デジタル記憶回路に接続され、
　前記スイッチングTFTのゲート電極は前記走査線に接続され、
　前記デジタル記憶回路は前記各画素電極に接続され、
　前記各インバータは複数のTFTを有し、
　前記走査線からの走査線信号が前記スイッチングTFTのゲート電極に入力されることで、前記信号線から前記デジタル記憶回路にデータが入力され、
　前記デジタル記憶回路は、前記走査線信号の次の走査線信号が前記スイッチングTFTのゲート電極に入力されるまで前記データを保持し、
　前記デジタル記憶回路は、前記信号線から入力され保持された前記データによって、前記デジタル記憶回路の高電位側電源の電源電位、または低電位側電源の電源電位を選択し前記画素電極に供給し、
　前記対向電極には、特定周波数の交流駆動電圧が入力されていることを特徴とする液晶表示装置。」と訂正する。
　
[訂正事項d]
　特許請求の範囲請求項4の記載を、明りょうでない記載の釈明を目的として、
　「【請求項4】
　絶縁表面を有する第1の基板と、
　絶縁表面を有する第2の基板と、
　前記第1の基板と前記第2の基板との間に設けられた液晶と、
を有する液晶表示装置において、
　前記第1の基板上には複数の画素電極と、複数の信号線と、複数の走査線と、複数のインバータを有する複数のデジタル記憶回路と、ソース領域、ドレイン領域およびゲート電極を有する複数のスイッチングTFTとが設けられており、
　前記第2の基板上には対向電極が設けられており、
　前記各インバータは一個のTFTと一個の抵抗器を有し、
　前記スイッチングTFTのソース領域またはドレイン領域は、前記信号線または前記デジタル記憶回路に接続され、
　前記スイッチングTFTのゲート電極は前記走査線に接続され、
　前記デジタル記憶回路は前記各画素電極に接続され、
　前記走査線からの走査線信号が前記スイッチングTFTのゲート電極に入力されることで、前記信号線から前記デジタル記憶回路にデータが入力され、
　前記デジタル記憶回路は、前記走査線信号の次の走査線信号が前記スイッチングTFTのゲート電極に入力されるまで前記データを保持し、
　前記デジタル記憶回路は、前記信号線から入力され保持された前記データによって、前記デジタル記憶回路の高電位側電源の電源電位、または低電位側電源の電源電位を選択し前記画素電極に供給し、
　前記対向電極には、特定周波数の交流駆動電圧が入力されていることを特徴とする液晶表示装置。」と訂正する。
　
[訂正事項e]
　特許時の請求項5を削除し、特許時の請求項6を請求項5に、特許時の請求項7を請求項6にそれぞれ繰り上げて特許時の請求項7を削除し、請求項5を明りょうでない記載の釈明を目的として、
　「【請求項5】
　請求項1乃至請求項4のいずれか1項において、前記複数の画素電極の数は前記複数のデジタル記憶回路の数と同じであることを特徴とする液晶表示装置。」
と訂正し、請求項6を明りょうでない記載の釈明として、
　「【請求項6】請求項1乃至請求項5のいずれか1項において、前記データは、白黒を時間的に切り替える時間変調されたデジタル階調信号であることを特徴とする液晶表示装置。」と訂正する。
　
《2-2》訂正の目的の適否、新規事項の有無及び拡張・変更の存否
　訂正前の請求項1、請求項2、請求項3及び請求項4の「前記信号線から入力された信号」を「前記信号線から入力され保持された前記データ」とする訂正は、本件特許明細書の段落0013に記載の「信号線のデータは走査線信号によって各画素電極の近傍に配置されたデジタル記憶回路117、118、119、120にとりこまれる。」、及び段落0014に記載の「画素電極の電位は記憶回路の電源電位の高電位側もしくは低電位側のいずれか一方の電位に固定される。このように画素の電位は従来例のように容量に蓄電し、電位を保持するのではなく、記憶回路のデータで保持を行うため、」に基づくものである。
　請求項3の「スイッチン9グ」を「スイッチング」とする訂正は、誤記の訂正である。
　次に、請求項4の「前記各インバータは複数のTFTと複数の抵抗器を有し、」を「前記各インバータは一個のTFTと一個の抵抗器を有し、」とする訂正は特許明細書の段落0016及び図9の記載に基づく訂正である。
　特許時の請求項7を繰り上げた請求項6を「請求項1乃至請求項5のいずれか1項において、前記データは、白黒を時間的に切り替える時間変調されたデジタル階調信号であることを特徴とする液晶表示装置。」とする訂正は、特許明細書の段落0013及び図7に記載の事項に基づくものである。
　よって、前記訂正は、特許請求の範囲の減縮、誤記の訂正または明りょうでない記載の釈明を目的とし、願書に添付した明細書及び図面に記載した事項の範囲内の訂正である。また、これらは実質上特許請求の範囲を拡張し又は変更するものでもない。 
　
《2-3》むすび
　以上のとおりであるから、上記訂正は、特許法第120条の4第2項及び同条第3項で規定する訂正について、平成6年法律第116号附則第6条第1項の規定によりなお従前の例によるとされる改正前の特許法第126条第1項ただし書き及び同条第2項の規定に適合するので、当該訂正を認める。
　
【3】特許異議の申立てについての判断
《3-1》申立ての理由の概要
　特許異議申立人は、訂正前の各請求項について、保持されるデータと、高電位側電源電位、低電位側電源電位との関係が不明であり、請求項1の発明が不明瞭であり、請求項3の数字9が意味不明であり、請求項4の根拠となる第9図には、左側のインバータは抵抗907とTFT908を有し、右側のインバータは抵抗909とTFT910をし、各インバータは一つのTFTと一つの抵抗器が示され、請求項4の記載は実施例と不一致であり、請求項7は単に方式を限定しただけであり、しかも時間階調方式の内容が不明瞭であるので、本件の請求項1、3、4、7の各発明は不明瞭または発明の詳細な説明に記載されておらず、特許法第36条第5項第1号または第2号の要件を充足していない旨、並びに、刊行物1〜4を提示して、本件請求項1〜3の各発明は、刊行物1の発明と同一またはその発明に基づいて当業者が容易に発明できたものであり、本件請求項4,5の各発明は、刊行物1、2の発明に基づいて当業者が容易に発明できたものであり、本件請求項6の発明は、刊行物1の発明と同一または刊行物1、2の発明に基づいて当業者が容易に発明できたものであり、本件請求項7の発明は、刊行物1、3に基づいて、あるいは刊行物1〜3の発明に基づいて、当業者が容易に発明できたものであり、特許法第29条第1または2項の特許要件を充足していない旨主張している。
　
(1)刊行物1(甲第1号証):特開昭58-143389号公報
(2)刊行物2(甲第2号証):特開平5-326887号公報
(3)刊行物3(甲第3号証):特開平5-188884号公報
(4)刊行物4(参考資料1):特開平4-333094号公報
　
《3-2》記載の不備についての判断
　(1)保持されるデータと、高電位側電源電位、低電位側電源電位との関係は、前記訂正により、「前記デジタル記憶回路は、前記信号線から入力され保持された前記データによって、前記デジタル記憶回路の高電位側電源の電源電位、または低電位側電源の電源電位を前記画素電極に供給」すると技術的意味が明確になった。
　(2)請求項3の数字9は、前記訂正により誤記として訂正された。
　(3)前記訂正により、請求項4の記載は実施例と一致するものとなった。
　(4)請求項7は前記訂正により訂正され、時間階調方式の内容が明りょうとなった。
　したがって、特許異議申立人の主張する記載不備は解消されている。
　
《3-3》本件発明
　訂正された請求項1〜6に係る発明は、「《2-1》訂正事項 [訂正事項a]〜[訂正事項e]」の請求項1〜6に記載されたとおりであり、以下、請求項順に「本件発明1」〜「本件発明6」という。
　
《3-4》刊行物の記載
《3-4-1》刊行物1
(1) 特許請求の範囲(1)
　「ガラス等の絶縁基板上に形成された半導体層、または、半導体基板上に、行列状に画素電極が形成され、前記画素電極上に液晶を介して設置された透光性基板上の透明電極を対向電極とした画像表示装置に於て、前記面素電極一個に対して、少なくとも二個のスイッチング素子と一ビットのメモリーセルを有していることを特徴とする画像表示装置。」
(2) 2頁左上欄4行〜3頁左上欄7行
　「このような画像表示装置は、中間調を含む面像や動面を表示する場合なわち、テレビ面像の表示などには最適であるが、中間調を必要としない画像や、静止画の表示などにはきわめて不適当であった。なぜならば、前述したようにコンデンサ2 に充電された信号は液晶セル3を通じて放電していくので、常に書込み動作を行なわないとコンデンサの両端の電圧がどんどん下がってしまい、液晶にかかる電圧が変化してしまう。従つて、静止画像を表示する場合でも常に書込み動作を行なう必要があり、常に回路全体を動かしておくための電力が必要である。例えば、200×200画素の画面を毎秒60枚書き込むためには、最大周波数として約2.5 MHzが必要となりかなり大きな電力を消費してしまう。尚、毎秒60枚の画像を書き込むというのは、液晶を交流駆動してフリッカを生じさせないために必要な値である。さらに、コンデンサへの充電のため信号ラインに電流を流す必要があり、このための消費電力の増大もさけられないという欠点があつた。
　そこで本発明は、中間調を必要としない画像、静止画像を表示するのに適した、消費電力が少ない画像表示装置を供することを目的とする 。
(3) 3頁右上欄13行〜左下欄14行
　
《3-4-2》刊行物2
【0002】
　「【従来の技術】VLSIのSRAMには2つの型のメモリセルが使用されている。それらは抵抗性負荷セルまたは積層(stacked)4T-2Rセルと、CMOS(相補型金属酸化物半導体)セルまたは積層6T(6トランジスタ)セルである。積層6Tセルと積層4T-2Rセルの構造については、それぞれ図1と図2に示されている。図1および図2の積層6Tセルおよび積層4T-2Rセルは、どちらも2つのパストランジスタ30と2つのドライバトランジスタ31'を含んでいる。」
　
《3-4-3》刊行物3
(1)特許請求の範囲の【請求項1】
　「スキャンラインとデータラインに連結されたスイッチング素子と該スイッチング素子を介して液晶に電界を印加する絵素電極がマトリックス状に配列されてなるアクティブマトリックス液晶表示装置の駆動方法において、液晶に自発分極を有する液晶を使用し、スイッチング素子を液晶の応答時間より短い時間だけ通電して液晶を充電し、それによって液晶分子を駆動すると共に、全スキャンラインに対応する絵素電極の液晶を一通り線順次駆動することにより1フィールドを形成し、複数のフィールドを連続的に組合せて1画面を形成して、複数階調の画面を得ることを特徴とするアクティブマトリックス液晶表示装置の駆動方法。」
(2)【0056】
　「[階調表示]また、本方式では、多数回の走査により一画面を表示することから、時分割による階調表示、つまり、1回ごとの走査で、1絵素毎の表示をオン/オフさせ、一画面を構成する複数フィールドにおけるオン/オフのパターンにより階調を表示することが可能になる。但し、本駆動方式では、液晶の駆動がより直流的になっているため、図1に示す様な単純マトリックスで行われているのとは異なる波形による駆動が必要になる。たとえば、図17と図18に示す様な形が一例である。」
(3)【0058】
　「また、液晶の表示する状態に、オン/オフの2値と限定する事により、ある一定の電界強度以上の電界を印加しても、液晶の表示状態がオン状態もしくはオフ状態である事を利用し、液晶を駆動する際に生じる液晶にかかる直流成分を相殺する様な駆動が可能になる。例えば図19と図20に示す方式である。」
　
《3-4-4》刊行物4
(1)特許請求の範囲の【請求項1】
　「 液晶を表示させるためにマトリクス状に配置されている反射画素電極の下の層に、表示するためのデータを記憶するメモリ回路、または液晶に印加する信号を切り換えるためのスイッチ回路を配置したことを特徴とする液晶表示装置。」
(2)【0007】
　「【課題を解決するための手段】上記目的は、反射型液晶パネルの反射電極の下に、表示するデータを記憶する手段と、液晶に印加する信号を切り換える手段を具備することで達成される。」
(3)【0008】
　「【作用】スイッチ手段は、液晶に供給する2個の信号を入力し、これをメモリ手段の出力に応じて切り換える。この信号は、例えは液晶印加電圧をゼロにする直流電圧と、液晶交流電圧を印加する矩形波信号である。」
(4)【0010】〜【0018】
　「【0010】【実施例】以下、本発明の実施例を詳細に説明する。
【0011】図1は、本発明の液晶表示装置の構成を示したものである。本装置は、液晶パネル1,ラツチ回路2,シフトレジスタ回路3,4で構成されている。液晶パネル1は、表示データを記憶する手段となるメモリ回路la,液晶駆動信号の切り換え手段となるスイッチ回路lb,液晶lcをマトリックス状に配置して構成されている。メモリ回路laには電源VDD,VSSが、スイッチ回路lbには液晶駆動信号VCM,VSQが供給される。
・・・
【0016】ここで、液晶駆動信号の制御について、1行1列の輝度信号が、第1フレームのとき‘1'で第2フレームのとき‘0'の場合を例に説明する。メモリ回路の出力DMは、第1フレームのVg1が‘1'でVd1が変化するタイミングで立ち上がり、第2フレームの同タイミングで立ち下がる。液晶駆動電圧VOには、スイッチ回路lbで液晶駆動信号VCM,VSQを選択して供給され、図2のように、出力DMが1のときVSQ OのときVCMが選択される.
【0017】なお、液晶の安定性を高めるには液晶印加電圧の直流分をなくすことが重要である。このためには、矩形波信号VSQの周波数はフレーム周波数の整数倍に設定する。
【0018】このように本発明の液晶表示装置は、液晶の駆動周波数を外部の信号(VSQ)で設定できるので、フリッカがなく、液晶の駆動効率がよい周波数(例えは、数kHz)に設定して高品質の画像を表示できる。」
　
《3-5》新規性・進歩性の判断
　本件発明1〜6は、「絶縁表面を有する第1の基板と、絶縁表面を有する第2の基板と、前記第1の基板と前記第2の基板との間に設けられた液晶と、を有する液晶表示装置において、前記第1の基板上には複数の画素電極と、複数の信号線と、複数の走査線と、複数のTFTを有する複数のデジタル記憶回路とが設けられており、前記第2の基板上には対向電極が設けられており、前記走査線からの走査線信号によって(請求項3、4においては、「前記走査線からの走査線信号が入力されることで、」)前記信号線から前記デジタル記憶回路にデータが入力され、前記デジタル記憶回路は、前記走査線信号の次の走査線信号によって前記信号線から前記デジタル記憶回路に前記データとは別のデータが入力されるまで前記データを保持し、前記デジタル記憶回路は、前記信号線から入力され保持された前記データによって、前記デジタル記憶回路の高電位側電源の電源電位、または低電位側電源の電源電位を前記画素電極に供給し、前記対向電極には、特定周波数の交流駆動電圧が入力されていることを特徴とする液晶表示装置。」をそれぞれの発明の構成として含むものである。
　ここで、本件発明1〜6に共通の構成と、引用発明とを対比すると、引用発明の「ガラス等の絶縁基板」、「透光性基板」、「信号ライン」、「ゲートライン」、「メモリセル」、「ゲートラインの信号」及び「画像情報」は本願1〜6に共通の「第1の基板」、「第2の基板」、「信号線」、「走査線」、「デジタル記憶回路」、「走査信号」及び「データ」に相当する。また、引用発明のクロック源の信号は、特定周波数の交流駆動電圧である。
　よって、両者は、「絶縁表面を有する第1の基板と、絶縁表面を有する第2の基板と、前記第1の基板と前記第2の基板との間に設けられた液晶と、を有する液晶表示装置において、前記第1の基板上には複数の画素電極と、複数の信号線と、複数の走査線と、複数のデジタル記憶回路とが設けられており、前記第2の基板上には対向電極が設けられており、前記走査線からの走査線信号によって(請求項3、4においては、「前記走査線からの走査線信号が入力されることで、」)前記信号線から前記デジタル記憶回路にデータが入力され、前記デジタル記憶回路は、前記走査線信号の次の走査線信号によって前記信号線から前記デジタル記憶回路に前記データとは別のデータが入力されるまで前記データを保持し、前記対向電極には、特定周波数の交流駆動電圧が入力されていることを特徴とする液晶表示装置。」の点で一致する。
　そして、デジタル記憶回路は、本件発明1〜6では、「複数のTFTを有する」のに対して、引用発明では明示されていない点(相違点1)、及び画素に供給する電位は、本件発明では、信号線から入力され保持されたデータによって選択される、デジタル記憶回路の高電位側電源の電源電位、または低電位側電源の電源電位であるのに対して、引用発明では、保持されたデータによって選択される、クロック源の信号と同相の信号または逆相の信号である点(相違点2)で相違する。
　そこで、相違点1を検討するに、刊行物1には、ガラス基板上にメモリセルを形成することが記載されているから、引用発明においても周知のTFTを使用しているものと推定され、この点は何ら格別技術的に意味のある相違とは認められない。
　次に、相違点2について検討するに、引用発明は、中間調を必要としない画像や、静止画の表示を前提としており、このためクロック源の信号と同相の信号または逆相の信号のいずれかを画素電極に供給する構成としている。このような構成では本件発明1〜6に共通する構成から生じる作用であるところの階調表示を可能にすることはできない。そして、刊行物2はメモリセルに相当するSRAMを抵抗器を用いて構成することを、刊行物3は、液晶自体が分極の記憶作用を有する特殊な強誘電性液晶を用いた時間階調方式を、また、刊行物4は、刊行物1と同様に表示画素に対応してメモリ回路を設けることをそれぞれ開示しているが、刊行物2〜4のいずれにも、信号線から入力され保持されたデータによって選択される、デジタル記憶回路の高電位側電源の電源電位、または低電位側電源の電源電位を画素電極に供給することを示唆する記載はなく、これら刊行物の記載を総合してもこれを当業者が容易に想到できたと認めることはできない。
　
　したがって、本件発明1〜6は、刊行物1〜4に記載された発明であると認めることができないばかりでなく、それらから当業者が容易に発明できたものであるとも認められない。
　
《3-6》むすび
　以上のとおりであるから、特許異議申立の理由及び証拠方法によっては、本件の請求項1〜6に係る発明の特許を取り消すことはできない。
　また、他に本件の請求項1〜6に係る発明の特許を取り消すべき理由を発見しない。
　よって、特許法等の一部を改正する法律(平成6年法律第116号)附則第14条の規定に基づく、特許法等の一部を改正する法律の施行に伴う経過措置を定める政令(平成7年政令第205号)第4条第2項の規定により、結論のとおり決定する。
【異議決定日】
平成１４年５月９日（２００２．５．９）
【訂正の要旨】
訂正の要旨
　特許権者が求めている訂正の内容は、以下のとおりである。
　［訂正事項ａ］
　特許請求の範囲請求項１の記載を、明りょうでない記載の釈明を目的として、
　「【請求項１】
　絶縁表面を有する第１の基板と、
　絶縁表面を有する第２の基板と、
　前記第１の基板と前記第２の基板との間に設けられた液晶と、
を有する液晶表示装置において、
　前記第１の基板上には複数の画素電極と、複数の信号線と、複数の走査線と、複数のＴＦＴを有する複数のデジタル記憶回路とが設けられており、
　前記第２の基板上には対向電極が設けられており、
　前記走査線からの走査線信号によって前記信号線から前記デジタル記憶回路にデータが入力され、
　前記デジタル記憶回路は、前記走査線信号の次の走査線信号によって前記信号線から前記デジタル記憶回路に前記データとは別のデータが入力されるまで前記データを保持し、
　前記デジタル記憶回路は、前記信号線から入力され保持された前記データによって、前記デジタル記憶回路の高電位側電源の電源電位、または低電位側電源の電源電位を前記画素電極に供給し、
　前記対向電極には、特定周波数の交流駆動電圧が入力されていることを特徴とする液晶表示装置。」と訂正する。
［訂正事項ｂ］
特許請求の範囲請求項２の記載を、明りょうでない記載の釈明を目的として、
　「【請求項２】
　絶縁表面を有する第１の基板と、
　絶縁表面を有する第２の基板と、
　前記第１の基板と前記第２の基板との間に設けられた液晶と、
を有する液晶表示装置において、
　前記第１の基板上には複数の画素電極と、複数の信号線と、複数の走査線と、
　複数のＴＦＴを有する複数のデジタル記憶回路とが設けられており、
　前記第２の基板上には対向電極が設けられており、
　前記走査線からの走査線信号によって前記信号線から前記デジタル記憶回路にデータが入力され、
　前記デジタル記憶回路は、前記走査線信号の次の走査線信号によって前記信号線から前記デジタル記憶回路に前記データとは別のデータが入力されるまで前記データを保持し、
　前記デジタル記憶回路は、前記信号線から入力され保持された前記データによって、前記デジタル記憶回路の高電位側電源の電源電位、または低電位側電源の電源電位を前記画素電極に供給し、
　前記対向電極には、前記デジタル記憶回路の高電位側電源の電源電位と同じ電位、および低電位側電源電位と同じ電位が、特定周波数で順に印加されていることを特徴とする液晶表示装置。」と訂正する。
［訂正事項ｃ］
特許請求の範囲請求項３の記載を、誤記の訂正及び明りょうでない記載の釈明を目的として、
　「【請求項３】
　絶縁表面を有する第１の基板と、
　絶縁表面を有する第２の基板と、
　前記第１の基板と前記第２の基板との間に設けられた液晶と、
を有する液晶表示装置において、
　前記第１の基板上には複数の画素電極と、複数の信号線と、複数の走査線と、複数のインバータを有する複数のデジタル記憶回路と、ソース領域、ドレイン領域およびゲート電極を有する複数のスイッチングＴＦＴとが設けられており、
　前記第２の基板上には対向電極が設けられており、
　前記スイッチングＴＦＴのソース領域またはドレイン領域は、前記信号線または前記デジタル記憶回路に接続され、
　前記スイッチングＴＦＴのゲート電極は前記走査線に接続され、
　前記デジタル記憶回路は前記各画素電極に接続され、
　前記各インバータは複数のＴＦＴを有し、
　前記走査線からの走査線信号が前記スイッチングＴＦＴのゲート電極に入力されることで、前記信号線から前記デジタル記憶回路にデータが入力され、
　前記デジタル記憶回路は、前記走査線信号の次の走査線信号が前記スイッチングＴＦＴのゲート電極に入力されるまで前記データを保持し、
　前記デジタル記憶回路は、前記信号線から入力され保持された前記データによって、前記デジタル記憶回路の高電位側電源の電源電位、または低電位側電源の電源電位を選択し前記画素電極に供給し、
　前記対向電極には、特定周波数の交流駆動電圧が入力されていることを特徴とする液晶表示装置。」と訂正する。
［訂正事項ｄ］
　特許請求の範囲請求項４の記載を、明りょうでない記載の釈明を目的として、
　「【請求項４】
　絶縁表面を有する第１の基板と、
　絶縁表面を有する第２の基板と、
　前記第１の基板と前記第２の基板との間に設けられた液晶と、
を有する液晶表示装置において、
　前記第１の基板上には複数の画素電極と、複数の信号線と、複数の走査線と、複数のインバータを有する複数のデジタル記憶回路と、ソース領域、ドレイン領域およびゲート電極を有する複数のスイッチングＴＦＴとが設けられており、
　前記第２の基板上には対向電極が設けられており、
　前記各インバータは一個のＴＦＴと一個の抵抗器を有し、
　前記スイッチングＴＦＴのソース領域またはドレイン領域は、前記信号線または前記デジタル記憶回路に接続され、
　前記スイッチングＴＦＴのゲート電極は前記走査線に接続され、
　前記デジタル記憶回路は前記各画素電極に接続され、
　前記走査線からの走査線信号が前記スイッチングＴＦＴのゲート電極に入力されることで、前記信号線から前記デジタル記憶回路にデータが入力され、
　前記デジタル記憶回路は、前記走査線信号の次の走査線信号が前記スイッチングＴＦＴのゲート電極に入力されるまで前記データを保持し、
　前記デジタル記憶回路は、前記信号線から入力され保持された前記データによって、前記デジタル記憶回路の高電位側電源の電源電位、または低電位側電源の電源電位を選択し前記画素電極に供給し、
　前記対向電極には、特定周波数の交流駆動電圧が入力されていることを特徴とする液晶表示装置。」と訂正する。
［訂正事項ｅ］
　特許時の請求項５を削除し、特許時の請求項６を請求項５に、特許時の請求項７を請求項６にそれぞれ繰り上げて特許時の請求項７を削除し、請求項５を明りょうでない記載の釈明を目的として、
　「【請求項５】
　請求項１乃至請求項４のいずれか１項において、前記複数の画素電極の数は前記複数のデジタル記憶回路の数と同じであることを特徴とする液晶表示装置。」
と訂正し、請求項６を明りょうでない記載の釈明として、
　「【請求項６】請求項１乃至請求項５のいずれか１項において、前記データは、白黒を時間的に切り替える時間変調されたデジタル階調信号であることを特徴とする液晶表示装置。」と訂正する。
（５４）【発明の名称】
液晶表示装置
（５７）【特許請求の範囲】
　【請求項１】
　絶縁表面を有する第１の基板と、
　絶縁表面を有する第２の基板と、
　前記第１の基板と前記第２の基板との間に設けられた液晶と、
を有する液晶表示装置において、
　前記第１の基板上には複数の画素電極と、複数の信号線と、複数の走査線と、複数のＴＦＴを有する複数のデジタル記憶回路とが設けられており、
　前記第２の基板上には対向電極が設けられており、
　前記走査線からの走査線信号によって前記信号線から前記デジタル記憶回路にデータが入力され、
　前記デジタル記憶回路は、前記走査線信号の次の走査線信号によって前記信号線から前記デジタル記憶回路に前記データとは別のデータが入力されるまで前記データを保持し、
　前記デジタル記憶回路は、前記信号線から入力され
保持された前記データ
　前記対向電極には、特定周波数の交流駆動電圧が入力されていることを特徴とする液晶表示装置。
　【請求項２】
　絶縁表面を有する第１の基板と、
　絶縁表面を有する第２の基板と、
　前記第１の基板と前記第２の基板との間に設けられた液晶と、
を有する液晶表示装置において、
　前記第１の基板上には複数の画素電極と、複数の信号線と、複数の走査線と、
　複数のＴＦＴを有する複数のデジタル記憶回路とが設けられており、
　前記第２の基板上には対向電極が設けられており、
　前記走査線からの走査線信号によって前記信号線から前記デジタル記憶回路にデータが入力され、
　前記デジタル記憶回路は、前記走査線信号の次の走査線信号によって前記信号線から前記デジタル記憶回路に前記データとは別のデータが入力されるまで前記データを保持し、
　前記デジタル記憶回路は、前記信号線から入力され
保持された前記データ
　前記対向電極には、前記デジタル記憶回路の高電位側電源の電源電位と同じ電位、および低電位側電源電位と同じ電位が、特定周波数で順に印加されていること
を特徴とする液晶表示装置。
　【請求項３】
　絶縁表面を有する第１の基板と、
　絶縁表面を有する第２の基板と、
　前記第１の基板と前記第２の基板との間に設けられた液晶と、
を有する液晶表示装置において、
　前記第１の基板上には複数の画素電極と、複数の信号線と、複数の走査線と、複数のインバータを有する複数のデジタル記憶回路と、ソース領域、ドレイン領域およびゲート電極を有する複数のスイッチングＴＦＴとが設けられており、
　前記第２の基板上には対向電極が設けられており、
　前記スイッチングＴＦＴのソース領域またはドレイン領域は、前記信号線または前記デジタル記憶回路に接続され、
　前記スイッチングＴＦＴのゲート電極は前記走査線に接続され、
　前記デジタル記憶回路は前記各画素電極に接続され、
　前記各インバータは複数のＴＦＴを有し、
　前記走査線からの走査線信号が前記スイッチングＴＦＴのゲート電極に入力されることで、前記信号線から前記デジタル記憶回路にデータが入力され、
　前記デジタル記憶回路は、前記走査線信号の次の走査線信号が前記スイッチ
ング
　前記デジタル記憶回路は、前記信号線から入力され
保持された前記データ
　前記対向電極には、特定周波数の交流駆動電圧が入力されていることを特徴とする液晶表示装置。
　【請求項４】
　絶縁表面を有する第１の基板と、
　絶縁表面を有する第２の基板と、
　前記第１の基板と前記第２の基板との間に設けられた液晶と、
を有する液晶表示装置において、
　前記第１の基板上には複数の画素電極と、複数の信号線と、複数の走査線と、複数のインバータを有する複数のデジタル記憶回路と、ソース領域、ドレイン領域およびゲート電極を有する複数のスイッチングＴＦＴとが設けられており、
　前記第２の基板上には対向電極が設けられており、
　前記各インバータ
は一個のＴ
と一個の抵
　前記スイッチングＴＦＴのソース領域またはドレイン領域は、前記信号線または前記デジタル記憶回路に接続され、
　前記スイッチングＴＦＴのゲート電極は前記走査線に接続され、
　前記デジタル記憶回路は前記各画素電極に接続され、
　前記走査線からの走査線信号が前記スイッチングＴＦＴのゲート電極に入力されることで、前記信号線から前記デジタル記憶回路にデータが入力され、
　前記デジタル記憶回路は、前記走査線信号の次の走査線信号が前記スイッチングＴＦＴのゲート電極に入力されるまで前記データを保持し、
　前記デジタル記憶回路は、前記信号線から入力され
保持された前記データ
　前記対向電極には、特定周波数の交流駆動電圧が入力されていることを特徴とする液晶表示装置。
　【請求項５】
　請求項１乃至請求項
４
　【請求項６】
　請求項１乃至請求項
５
前記データは、白黒を時間的に切り替える時間変調されたデジタル階調信号である
【発明の詳細な説明】
　【０００１】
　【産業上の利用分野】
　本発明はアクティブマトリクス型の液晶表示装置、とくにデジタル階調表示の液晶表示装置に関する。
　【０００２】
　【従来の技術】
　従来のデジタル諧調のアクティブマトリクス型の液晶表示装置としては、日経ＢＰ社刊「フラットパネルディスプレイ９１　１７３頁〜１８０頁」に記載されているものなどが標準的である。
　【０００３】
　図２は従来の液晶表示装置の例である。アクティブマトリクス型の液晶表示装置は大まかに画素マトリクス部、信号線駆動回路、走査線駆動回路の３つに分割できる。以下、図面に基づき動作を説明する。
　【０００４】
　画素マトリクスは信号線と走査線をマトリクス状に配置し、その交点部分に画素ＴＦＴを配置し、画素ＴＦＴのゲートは走査線に、ソースは信号線に、ドレインは画素電極に接続している。また、一般に画素電極と対向電極の間の液晶容量は大きな値をとりえないため、画素電極の近傍に電荷を保持する保持容量を配置することが行われる。走査線にＴＦＴのスレッショルド電圧を越える電圧が印加され、ＴＦＴがオンすると、ＴＦＴのドレインとソースはショート状態となり、信号線の電圧が画素電極に印加され液晶と保持容量に充電される。
ＴＦＴがオフになるとドレインは開放状態となり、液晶と保持容量に蓄えられた電荷は次にＴＦＴがオンするまで保持される。
　【０００５】
　図３に４階調の信号線駆動回路の例を示す。ここでは４階調の場合を説明するが階調数が異なる場合でも基本動作は同じである。デジタル階調信号は入力端子３０２、３０３よりシフトレジスタ３１０、３１１に入力される。シフトレジスタ３１０、３１１の出力は次の段のシフトレジスタ３１２、３１３およびラッチ回路３１４、３１５に入力され、ラッチ回路は一定期間データの保持を行う。この保持期間は入力端子３０４に入力される水平同期信号によってきまる。ラッチ回路の出力信号はデコーダ３１６に入力され２ビットのデジタル信号はこのデコーダによって４つの電圧選択信号に変換される。この電圧選択信号によってスイッチトランジスタ３１７〜３２０のいずれかが選択され、階調電圧線３０５〜３０８のいずれかの電位が信号線３０９に伝達される。
　【０００６】
　図４に走査線駆動回路の例を示す。走査線駆動回路はシフトレジスタとＮＡＮＤ回路４０３、４０４、インバータ型バッファ４０５、４０６によって構成され、垂直同期信号に同期したスタートパルスと水平同期信号に同期したクロックを入力し、順次走査線を駆動していく。
　【０００７】
　【発明が解決しようとする問題点】
　前述した従来の液晶表示装置には以下に示すような２つの問題点があった。第一の問題点はＴＦＴがオフ状態のときにおいて、ドレイン〜ソース間にリーク電流が流れ、画素の電荷が放電し電位が変動することである。
　一般的なＮチャンネルＴＦＴのドレイン電流、ゲート電圧特性を図５に示す。図５からわかるように、ゲート電圧がマイナスのときでもドレインには電流が流れている。この電流によって電荷の放電が発生する。ＮチャンネルのＴＦＴで説明をおこなったがＰチャンネルＴＦＴでも同様である。
　【０００８】
　通常、画素の書き込み周期は１００Ｈｚ以下であるため、保持時間は１０ｍｓｅｃ以上となる。なるべく長く保持時間をとるため、液晶と並列に保持容量をつけることが一般的であるが液晶と保持容量をあわせて０．１ｐＦ〜０．２ｐＦまでしかできない。画素の保持時間を１６．６ｍｓｅｃ（６０Ｈｚ）、液晶にかかる電圧を５Ｖ、保持率を９９％、容量を０．２ｐＦとすると、許容されるＴＦＴのリーク電流は
　　　５×（１−０．９９）×０．２ｐＦ／１６．６ｍｓｅｃ＝０．６ｐＡ
となり、この値を使用温度範囲、ＴＦＴのばらつきをふくめて実現するのは困難であるため、画素の電荷は放電され、画質の劣化をまねいていた。
　【０００９】
　第二の問題点はＴＦＴの動作において、走査線電位が高電位から低電位に、または、低電位から高電位に変化するとき、ＴＦＴのゲート、ドレイン間の容量によってドレイン電位が以下に示す△Ｖだけ走査線電位が変化する方向へ引き込まれることである。
　　　△Ｖ＝Ｖ×Ｃｇｄ／（Ｃｇｄ＋Ｃｌｃ＋Ｃｓｔｇ）
　ここで、Ｖは走査線電位の変動幅
　　　　　ＣｇｄはＴＦＴのゲートドレイン間の容量値
　　　　　Ｃｌｃは液晶の容量値
　　　　　Ｃｓｔｇは保持容量の容量値
　この現象によって、図６に示すように画素電極の電位は中心より下側にずれてしまい液晶の劣化をまねいていた。
　【００１０】
　本発明の液晶表示装置はこのような２つの問題点を解決するものであり、その目的とするところは、保持時間の長さに関わらず保持が可能であり、且つ、走査線の電位変化によって保持電位が変化しない液晶表示装置を提供することにある。
　【００１１】
　【問題を解決するための手段】
　本発明の液晶表示装置は、階調表示方式を時間階調方式として、画素に印加される電圧は二値のみとし、且つ、一つの画素について、一つのデジタル記憶回路を有し、その出力に画素電極を接続している。
　【００１２】
　【作用】
　本発明では、走査線の信号によって、信号線の電位をデジタル記憶回路に取り込み、一定の期間電位を保持している。
　画素電極はデジタル記憶回路の出力に接続されているため、記憶回路が保持状態である限り、デジタル記憶回路のハイ電位またはロウ電位が与えられる。
　【００１３】
　【実施例】
　図１に本発明の実施例をしめす。時間階調方式では図７に示すように時間的に白黒を切り替え中間調をだす方式である。この実施例の信号線駆動回路の動作について説明する。時間変調されたデジタル階調信号は入力端子１０２よりシフトレジスタ１０９に入力される、シフトレジスタ１０９の出力は次の段のシフトレジスタ１１０およびラッチ回路１１１に入力され、ラッチ回路１１１は一定期間はデータの保持を行う。この保持期間は入力端子１０３に入力される水平同期信号によってきまる。ラッチ回路１１１、１１２の出力はインバータ形式のバッファ回路１１３、１１４、１１５、１１６を介して信号線１０６、１０７に出力される。信号線のデータは走査線信号によって各画素電極の近傍に配置されたデジタル記憶回路１１７、１１８、１１９、１２０にとりこまれる。この記憶状態は次に走査線信号がくるまで保持される。図８は画素領域およびデジタル記憶回路の例である。このデジタル記憶回路はＴＦＴ８０７、８０８とＴＦＴ８０９、８１０で構成されるインバータを二つ組合わせたもので、ＴＦＴ８０６がオンすると記憶回路と信号線８０２がショートされ、データがとりこまれる。
　【００１４】
　記憶回路の出力は直接画素電極に接続されているため、画素電極の電位は記憶回路の電源電位の高電位側もしくは低電位側のいずれか一方の電位に固定される。このように画素の電位は従来例のように容量に蓄電し、電位を保持するのではなく、記憶回路のデータで保持を行うため、画素ＴＦＴのリーク電流による電位変動やＴＦＴオフによる電位変動は発生せず、画質の向上がみこめる。
　【００１５】
　また、液晶素子８１１は直流電圧を長期にわたり印加すると劣化が発生するため、本実施例では対向電極をデジタル記憶回路の出力振幅と同じ振幅にて、且つ特定周波数（垂直同期周波数など）の交流電圧で駆動し、液晶に加わる電圧が平均的には０になるようにしている。この関係を図１０にしめす。
　図１０（Ａ）はデジタル記憶回路の出力電圧、図１０（Ｂ）は対向電極に印加される電圧、図１０（Ｃ）は液晶印加電圧の波形をそれぞれ示し、液晶に印加される電圧はデジタル記憶回路の出力電圧と対向電極に印加される電圧との差分電圧が印加されており、上述のように液晶に加わる電圧が平均的に０になることが分かる。
　通常、液晶を駆動する場合、５Ｖ程度の印加電圧が必要であるが、時間階調を使う場合は、光透過率が１００％と０％であるので、印加電圧は例えば０Ｖと５Ｖの２値となり、図１０はこの場合の波形図を示している。
　よって、図１０に示すように、時間階調の場合、デジタル記憶回路の出力として０Ｖと５Ｖとなり、図８に示すデジタル記憶回路は電源電位が出力されるため、記憶回路の電源端子８０３の電位を５Ｖに、電源端子８０４の電位を０Ｖにすればよい。
　前記したように液晶は直流を長時間かけると劣化するため交流駆動する必要があるが、対向電極端子８０５に交流電圧、例えば前記垂直同期周波数などの特定周波数の交流電圧を入力して駆動する。
以下、図１０の波形図を参照しながらその動作を説明する。
まず、対向電極端子８０５に５Ｖの電圧がかかっているとすると、黒を表示させるためには、液晶に５Ｖがかかり、デジタル記憶回路の出力は０Ｖとする必要がある。また、白を表示させるためには、デジタル記憶回路の出力は５Ｖとする必要がある。これによって対向電極端子８０５の電位を基準にすると、液晶には前記電圧の差分電圧である−５Ｖ又は０Ｖの電圧がかかっていることになる。
　次に、一定時間後、対向電極端子に印加される電圧が０Ｖになると、黒を表示させるためには液晶に５Ｖがかかり、デジタル記憶回路の出力は５Ｖとする必要がある。また、白を表示させるためには、デジタル記憶回路の出力は０Ｖとする必要がある。これによって、対向電極端子８０５の電位を基準にすると、液晶
に
　【００１６】
　図９は記憶回路の第二の例である。ＴＦＴ９０８、９１０と抵抗器９０７、９０９によってインバータを構成し、記憶回路を構成している。
　この例でも図１０に示すように、時間階調の場合、デジタル記憶回路の出力として０Ｖと５Ｖとなり、前記デジタル記憶回路は電源電位が出力されるため、記憶回路の電源端子９０３の出力を５Ｖに、電源端子９０４の出力を０Ｖにすればよい。そして、液晶９１１の対向電極に図１０（Ｂ）に示す交流電圧を加え、液晶９１１に図１０（Ａ）に示す前記デジタル記憶回路の出力電圧を印加することにより液晶９１１には図１０（Ｃ）に示す差分電圧がかかり図８に示す実施例と同様に動作する。この実施例の場合は画素マトリクス内のＴＦＴの極性を一種類のみにすることが可能である。
　【００１７】
　【発明の効果】
　以上説明したように、本発明は階調表示方式を時間階調表示方式とし、且つ、一つの画素電極に対して、一つずつのデジタル記憶装置により電位をあたえることができ、画素電極の電位を一定にできるという効果がある、またそれによって、画質の向上をはかるという効果がある。
【図面の簡単な説明】
　【図１】　本発明の液晶表示装置の信号線駆動回路の実施例を示す。
　【図２】　アクティブマトリクス型液晶表示装置のブロック図を示す。
　【図３】　従来の信号線駆動回路の例を示す。
　【図４】　走査線駆動回路の例を示す。
　【図５】　ＴＦＴのドレイン電流、ゲート電圧特性を示す。
　【図６】　画素の保持特性を示す。
　【図７】　時間階調の動作を示す。
　【図８】　画素及びデジタル記憶回路の実施例を示す。
　【図９】　画素及びデジタル記憶回路の実施例を示す。
　【図１０】デジタル記憶回路電源電圧および液晶電圧特性を示す。
　　クロック入力端子　　　　　　　　　　：１０１
　　スタートパルス入力端子　　　　　　　：１０２
　　水平同期信号入力端子　　　　　　　　：１０３
　　走査線　　　　　　　　　　　　　　　：１０４、１０５
　　信号線　　　　　　　　　　　　　　　：１０６、１０７
　　対向電極接続端子　　　　　　　　　　：１０８
　　シフトレジスタ　　　　　　　　　　　：１０９、１１０
　　ラッチ回路　　　　　　　　　　　　　：１１１、１１２
　　インバータ型バッファ　　　　　　　　：１１３〜１１６
　　デジタル記憶回路　　　　　　　　　　：１１７〜１２０
　　液晶　　　　　　　　　　　　　　　　：１２１〜１２４
　　画素マトリクス　　　　　　　　　　　：２００
　　信号線　　　　　　　　　　　　　　　：２０１〜２０３
　　走査線　　　　　　　　　　　　　　　：２０４〜２０６
　　ＴＦＴ　　　　　　　　　　　　　　　：２０７〜２１０
　　液晶　　　　　　　　　　　　　　　　：２１１〜２１４
　　保持容量　　　　　　　　　　　　　　：２１５〜２１８
　　クロック入力端子　　　　　　　　　　：３０１
　　スタートパルス入力端子　　　　　　　：３０２、３０３
　　水平同期信号入力端子　　　　　　　　：３０４
　　
階
　　信号線接続端子　　　　　　　　　　　：３０９
　　シフトレジスタ　　　　　　　　　　　：３１０〜３１３
　　ラッチ回路　　　　　　　　　　　　　：３１４、３１５
　　デコーダー　　　　　　　　　　　　　：３１６
　　ＴＦＴ　　　　　　　　　　　　　　　：３１７〜３２０
　　クロック入力端子　　　　　　　　　　：４０１
　　スタートパルス入力端子　　　　　　　：４０２
　　ＮＡＮＤ　　　　　　　　　　　　　　：４０３、４０４
　　インバータ型バッファ　　　　　　　　：４０５、４０６
　　走査線接続端子　　　　　　　　　　　：４０７、４０８
　　走査線　　　　　　　　　　　　　　　：８０１
　　信号線　　　　　　　　　　　　　　　：８０２
　　記憶回路電源端子　　　　　　　　　　：８０３、８０４
　　対向電極端子　　　　　　　　　　　　：８０５
　　ＴＦＴ　　　　　　　　　　　　　　　：８０６〜８１０
　　液晶　　　　　　　　　　　　　　　　：８１１
　　走査線　　　　　　　　　　　　　　　：９０１
　　信号線　　　　　　　　　　　　　　　：９０２
　　記憶回路電源端子　　　　　　　　　　：９０３、９０４
　　対向電極端子　　　　　　　　　　　　：９０５
　　ＴＦＴ　　　　　　　　　　　　　　　：９０６、９０８、９１０
　　液晶　　　　　　　　　　　　　　　　：９１１
　　抵抗器　　　　　　　　　　　　　　　：９０７、９０９